(57)【要約】      （修正有）【課題】北投石と磁石とを組み合わせた健康促進効果の高い健康ユニット及び健康サポータを提供する。【解決手段】健康ユニット５０は、中央部に北投石を含有した鉱石部３０を有し、この鉱石部の周囲に偶数個の永久磁石４０ａ、４０ｂが隣り合う磁極が逆になるように近接配設されている。そして、永久磁石４０ａ、４０ｂからの磁力線と北投石から発せられる微量放射線が使用者の人体に好ましい影響を与え、使用者の健康促進を図ることができる。また、健康サポータは、健康ユニット５０を出し入れ可能なポケット部とポケット部を横方向に沿って２つ配列したベルト部を有し、健康ユニットを使用者の胴部や肩、手足等に保持することができる。【選択図】図１
0003201618.tif 000002
【実用新案登録請求の範囲】
【請求項１】
北投石を含有する円板状の鉱石部と、
前記鉱石部の周囲を囲うように位置し且つ隣り合う磁極が互いに逆となるように近接配置した偶数個の永久磁石と、を有することを特徴とする健康ユニット。
【請求項２】
請求項１記載の健康ユニットと、
前記健康ユニットを出し入れ可能なポケット部を備えたサポータ部と、を有することを特徴とする健康サポータ。
【請求項３】
サポータ部が、人体の胴部に巻き付けるベルト部を有し、ポケット部が前記ベルト部の横方向に沿って２つ配列したことを特徴とする請求項２記載の健康サポータ。
【請求項４】
サポータ部が、
上部に位置し二股に分かれた肩部と、下側に拡がった腰部と、前記肩部と前記腰部の間に位置する背中部と、前記肩部から前記腰部に向かって伸びる肩ベルト部と、を有し、
前記背中部と双方の肩部とにポケット部を有することを特徴とする請求項２記載の健康サポータ。
【請求項５】
サポータ部が、中央部と、前記中央部の一方の側辺の略中央部分から延びる第１ストラップベルトと、前記中央部の他方の側辺の上部から延びる第２ストラップベルトと、前記中央部の他方の側辺の下部から延びる第３ストラップベルトと、を有する略Ｙ字形状を呈し、前記中央部にポケット部を備えたことを特徴とする請求項２記載の健康サポータ。
【考案の詳細な説明】
【技術分野】
【０００１】
本考案は、北投石と磁石とを用いた健康ユニット及び健康サポータに関するものである。
【背景技術】
【０００２】
永久磁石の磁力によって血行を促進しコリや痛みを和らげる例えば下記［特許文献１］等の健康器具が従来から多数商品化されている。また、北投石とは台湾の北投温泉と日本の玉川温泉で産出される鉱物で放射性ラジウムを含有し、微量の放射線を放出する。この微量の放射線は抗酸化物質の増強、ＤＮＡ修復機能や免疫機能の活性化、発がん抑制等の人体にとって有益なホルミシス効果を示すという研究があり、例えば下記［特許文献２］では北投石のビーズを用いた腰ベルトに関する発明が開示されている。そして、これらの健康器具は電力や薬成分を必要としないため、体に装着するだけで半永久的に効果が持続するという利点がある。
【先行技術文献】
【特許文献】
【０００３】
【特許文献１】特開２０１５−１３９４７４号公報
【特許文献２】特開２０１４−１４７４６８号公報
【考案の概要】
【考案が解決しようとする課題】
【０００４】
しかしながら、現代人の疲労は日々増加傾向にあり、更に効果的な健康器具の開発が求められている。本考案は上記事情に鑑みてなされたものであり、北投石と磁石とを組み合わせた健康促進効果の高い健康ユニット及び健康サポータを提供することを目的とする。
【課題を解決するための手段】
【０００５】
本考案は、
（１）北投石を含有する円板状の鉱石部３０と、
前記鉱石部３０の周囲を囲うように位置し且つ隣り合う磁極が互いに逆となるように近接配置した偶数個の永久磁石４０ａ、４０ｂと、を有することを特徴とする健康ユニット５０を提供することにより、上記課題を解決する。
（２）上記（１）記載の健康ユニット５０と、
前記健康ユニット５０を出し入れ可能なポケット部５２を備えたサポータ部６０と、を有することを特徴とする健康サポータ９０（９０ａ、９０ｂ、９０ｃ）を提供することにより、上記課題を解決する。
（３）サポータ部６０が、人体の胴部に巻き付けるベルト部６２を有し、ポケット部５２が前記ベルト部６２の横方向に沿って２つ配列したことを特徴とする上記（２）記載の健康サポータ（第１の健康サポータ９０ａ）を提供することにより、上記課題を解決する。
（４）サポータ部６０が、上部に位置し二股に分かれた肩部７２と、下側に拡がった腰部７４と、前記肩部７２と前記腰部７４の間に位置する背中部７６と、前記肩部７２から前記腰部７４に向かって伸びる肩ベルト部７８と、を有し、
前記背中部７６と双方の肩部７２とにポケット部５２を有することを特徴とする上記（２）記載の健康サポータ（第２の健康サポータ９０ｂ）を提供することにより、上記課題を解決する。
（５）サポータ部６０が、中央部８２と、前記中央部８２の一方の側辺の略中央部分から延びる第１ストラップベルト８４ａと、前記中央部８２の他方の側辺の上部から延びる第２ストラップベルト８４ｂと、前記中央部８２の他方の側辺の下部から延びる第３ストラップベルト８４ｃと、を有する略Ｙ字形状を呈し、前記中央部８２にポケット部５２を備えたことを特徴とする上記（２）記載の健康サポータ（第３の健康サポータ９０ｃ）を提供することにより、上記課題を解決する。
【考案の効果】
【０００６】
本考案に係る健康ユニットは、鉱石部に含まれる北投石が微量放射線を発し、この鉱石部の周囲に配置された永久磁石が磁力線を発する。この微量放射線と磁力線は使用者の人体に好ましい影響を与え、使用者の健康促進を図ることができる。また、本考案に係る健康サポータは本考案に係る健康ユニットを人体の胴部や肩、手足等に簡単かつ楽に装着することができる。
【図面の簡単な説明】
【０００７】
【図１】本考案に係る健康ユニットを示す図である。
【図２】本考案に係る第１の健康サポータを示す図である。
【図３】本考案に係る第２の健康サポータを示す図である。
【図４】本考案に係る第２の健康サポータの使用状態を示す図である。
【図５】本考案に係る第３の健康サポータを示す図である。
【考案を実施するための形態】
【０００８】
本考案に係る健康ユニット５０及び健康サポータ９０の実施の形態を図面に基づいて説明する。先ず、本考案に係る健康ユニット５０を図１を用いて説明する。ここで、図１（ａ）は健康ユニット５０の正面図であり、図１（ｂ）は健康ユニット５０の内部構造を示す模式的なＸ−Ｘ断面図である。
【０００９】
図１に示す本考案に係る健康ユニット５０は、中央に位置し北投石を含有する円板状の鉱石部３０と、この鉱石部５０の周囲を囲うように位置した偶数個の永久磁石４０ａ、４０ｂと、を有している。鉱石部３０における北投石の含有形態に特に限定は無く、北投石を切削して円板状として用いても良いし、破砕した北投石を樹脂等で固定して形成しても構わない。中でも北投石の粉末をバインダとともに円板状に成形し焼結して形成することが特に好ましい。この方法によれば寸法精度が高く且つ北投石の分布のバラつきが少ない鉱石部３０を簡単かつ安定的に製造することができる。
【００１０】
また、永久磁石４０ａ、４０ｂは高い磁力を有するものが好ましく、希土類磁石、特にネオジム磁石を用いることが好ましい。そして、永久磁石４０ａ、４０ｂは鉱石部３０の周囲を囲むように略等間隔に設ける。また、永久磁石４０ａ、４０ｂは隣り合う磁極が互いに逆となり、かつ隣り合う永久磁石４０ａ、４０ｂが近接するように配置する。即ち、図１に示すＮ極が上面となる永久磁石４０ａと、Ｓ極が上面となる永久磁石４０ｂとが交互に近接して配列する。よって、永久磁石４０ａ、４０ｂの総数は偶数となる。このように、永久磁石４０ａ、４０ｂの隣り合う磁極を逆にして近接配置することで、永久磁石４０ａ、４０ｂからの磁力線は分散せずに隣接する永久磁石４０ａ、４０ｂに向かって高密度に伸び、磁力線による健康促進効果を人体に効果的に作用させることができる。
【００１１】
永久磁石４０ａ、４０ｂの大きさには特に限定は無いが直径が１ｃｍ前後のものを用いることが好ましい。また、永久磁石４０ａ、４０ｂの個数は鉱石部３０の径と永久磁石４０ａ、４０ｂの径とによって概ね決定する。例えば、鉱石部３０の径が約２．７ｃｍで、永久磁石４０ａ、４０ｂの径が約９ｍｍの場合、永久磁石４０ａ、４０ｂの個数は１２個が最も好ましい。
【００１２】
そして、健康ユニット５０を人体の肩や腰、背中、手足等、疲れやだるさ、浮腫み等を覚える場所に近接させる。これにより、永久磁石４０ａ、４０ｂから発生する磁力線が人体に作用し血行促進等の好ましい健康促進効果が得られる。また、鉱石部３０中の北投石成分が微量放射線を放出し、この微量放射線が人体に作用しホルミシス効果等の好ましい健康促進効果が得られる。
【００１３】
次に、本考案に係る健康サポータ９０（９０ａ、９０ｂ、９０ｃ）を説明する。本考案に係る健康サポータ９０（９０ａ、９０ｂ、９０ｃ）は、健康ユニット５０と、この健康ユニット５０を出し入れ可能なポケット部５２を備えたサポータ部６０と、を有する。
【００１４】
先ず、本発明に係る第１の健康サポータ９０ａを図２を用いて説明する。尚、本発明に係る第１の健康サポータ９０ａは人体の腰や背中等の胴部に健康ユニット５０を装着するのに適した健康サポータ９０である。図２に示す、第１の健康サポータ９０ａのサポータ部６０は、人体の胴部に巻き付けるベルト部６２を有し、ポケット部５２がベルト部６２の横方向に沿って２つ配列して構成されている。また、左右のベルト部６２の先側には面ファスナ等の係合手段６４が設けられており、この係合手段６４により健康サポータ９０ａを人体の胴部に巻き付けて保持することができる。
【００１５】
次に、第１の健康サポータ９０ａの使用方法を説明する。先ず、ポケット部５２に健康ユニット５０を挿入する。尚、このポケット部５２への健康ユニット５０の挿入は健康サポータ９０ａを人体に装着した後に行っても良い。また、健康ユニット５０は両方のポケット部５２に一つずつ挿入することが好ましいが、どちらか一方でも構わない。次に、腰や背中の目的の部位に健康ユニット５０が近接するように健康サポータ９０ａを位置させ、ベルト部６２を巻き付ける。そして、左右のベルト部６２の係合手段６４を使用者の腹部側で係合させて健康サポータ９０ａを保持する。これにより、健康ユニット５０が使用者の腰や背中の目的の部位に近接し、この部分に好ましい健康促進効果を施す。
【００１６】
次に本発明に係る第２の健康サポータ９０ｂを図３、図４を用いて説明する。尚、本発明に係る第２の健康サポータ９０ｂは人体の肩及び腰に健康ユニット５０を装着するのに適した健康サポータ９０である。図３に示す、第２の健康サポータ９０ｂのサポータ部６０は、上部に位置し二股に分かれた肩部７２と、下側に拡がった腰部７４と、肩部７２と腰部７４の間に位置する背中部７６と、それぞれの肩部７２から腰部７４の側辺側に向かって伸びる左右の肩ベルト部７８と、を有している。そして、左右の肩部７２のそれぞれにポケット部５２を一つずつ有している。また、背中部７６に２つのポケット部５２を有している。また、腰部７４の両側辺にはバックル６６が設けられ、左右の肩ベルト部７８はこのバックル６６を通してスライド移動する。また、肩ベルト部７８の先側には面ファスナ等の係合手段６４が設けられている。
【００１７】
次に、第２の健康サポータ９０ｂの使用方法を説明する。先ず、ポケット部５２に健康ユニット５０を挿入する。尚、この健康ユニット５０の挿入は健康サポータ９０ｂを人体に装着した後に行っても良い。また、健康ユニット５０は肩部７２及び背中部７６の全てのポケット部５２に一つずつ挿入することが好ましいが、使用者が選択したポケット部５２のみに健康ユニット５０を挿入して使用しても良い。次に、左右の肩ベルト部７８に使用者の両腕をそれぞれ通し、肩ベルト部７８の先側を引っ張る。これにより、肩ベルト部７８はバックル６６内をスライドして引き絞られ、肩部７２、腰部７４、背中部７６が使用者の肩、腰、背中にそれぞれ密着する。そして、左右の肩ベルト部７８の係合手段６４を使用者の腹部側で係合させて健康サポータ９０ｂを保持する。これにより、図４に示すように、肩部７２のポケット部５２に挿入された健康ユニット５０が使用者の肩に位置し、また背中部７６のポケット部５２に挿入された健康ユニット５０が使用者の腰に位置し、これらの部分に好ましい健康促進効果を施す。
【００１８】
次に本発明に係る第３の健康サポータ９０ｃを図５を用いて説明する。尚、本発明に係る第３の健康サポータ９０ｃは人体の脚や腕に健康ユニット５０を装着するのに適した健康サポータ９０である。ここで、図５（ａ）は第３の健康サポータ９０ｃの表面側を示し、図５（ｂ）は裏面側を示し、図５（ｃ）は第３の健康サポータ９０ｃの着用状態を示す図である。図５に示す、第３の健康サポータ９０ｃのサポータ部６０は、中央部８２と、この中央部８２の一方の側辺の略中央部分から延びる第１ストラップベルト８４ａと、中央部８２の他方の側辺の上部から延びる第２ストラップベルト８４ｂと、中央部８２の他方の側辺の下部から延びる第３ストラップベルト８４ｃと、を有している。よって、第３の健康サポータ９０ｃのサポータ部６０は、横向きの略Ｙ字形状を呈す。そして、中央部８２の裏面側には健康ユニット５０を出し入れ可能なポケット部５２を有している。また、第１ストラップベルト８４ａ〜第３ストラップベルト８４ｃの先側にはそれぞれ面ファスナ等の係合手段６４が設けられている。さらに、第２ストラップベルト８４ｂは他の第１ストラップベルト８４ａ、第３ストラップベルト８４ｃよりも長く形成し、かつ若干斜め上方向に形成することが好ましい。また、第１ストラップベルト８４ａ、第３ストラップベルト８４ｃは若干斜め下方向に形成することが好ましい。
【００１９】
次に、第３の健康サポータ９０ｃの使用方法を説明する。先ず、ポケット部５２に健康ユニット５０を挿入する。次に、健康ユニット５０が目的の部位に当たるように健康サポータ９０ｃを位置させ、第１ストラップベルト８４ａ〜第３ストラップベルト８４ｃを巻き付ける。これにより、第１ストラップベルト８４ａ〜第３ストラップベルト８４ｃの各係合手段６４がサポータ部６０の表面と係合し、図５（ｃ）に示すように、健康ユニット５０が目的の部位に近接した状態で保持される。これにより、この部分に好ましい健康促進効果が施される。
【００２０】
以上のように、本考案に係る健康ユニット５０は、中央部に北投石を含有した鉱石部３０を有し、この鉱石部５０の周囲に偶数個の永久磁石４０ａ、４０ｂが隣り合う磁極が逆になるように近接配設されている。そして、永久磁石４０ａ、４０ｂからの高密度の磁力線と北投石から発せられる微量放射線が使用者の人体に好ましい影響を与え、使用者の健康促進を図ることができる。
【００２１】
また、本考案に係る健康サポータ９０（９０ａ、９０ｂ、９０ｃ）は、上記の健康促進効果を有する健康ユニット５０を使用者の胴部や肩、手足等に保持することができる。これにより、使用者は健康ユニット５０を簡単かつ楽に装着することができる。
【００２２】
尚、上記に示した健康ユニット５０及び健康サポータ９０（９０ａ、９０ｂ、９０ｃ）の各部の構成、形状、デザイン、寸法、及び配列等は一例であるから、上記の例に限定されるわけでは無く、本考案は本考案の要旨を逸脱しない範囲で変更して実施することが可能である。
【符号の説明】
【００２３】
３０    鉱石部
４０ａ、４０ｂ  永久磁石
５０    健康ユニット
５２    ポケット部
６０    サポータ部
６２    ベルト部
７２    肩部
７４    腰部
７６    背中部
７８    肩ベルト部
８２    中央部
８４ａ  第１ストラップベルト
８４ｂ  第２ストラップベルト
８４ｃ  第３ストラップベルト
９０ａ  第１の健康サポータ
９０ｂ  第２の健康サポータ
９０ｃ  第３の健康サポータ
【図１】
0003201618.tif 000003
【図２】
0003201618.tif 000004
【図３】
0003201618.tif 000005
【図４】
0003201618.tif 000006
【図５】
0003201618.tif 000007